(57)【要約】      （修正有）【課題】一種のペット用リードであり、特に自由な調節が可能で、適宜応用できるペット用リードの構造の改良に関するものである。【解決手段】持ち手部分20の両端の持ち手ナスカン21および22を引き綱30の上端Dリング31につなげ、更に引き綱30の引き綱ナスカン33をペットDの首輪のマルカンにつなげることで一般のペット引き綱としての機能を果たすことができる。【選択図】図４
0003134494.tif 000002
【実用新案登録請求の範囲】
【請求項１】
一種のペット用リード構造であって、持ち手部分は使用者が握り、上部両端にはナスカンが設置されており、引き綱は上端および中間にＤリングが設置され、下端にはナスカンが設置されており、この設計により、持ち手部分の両端のナスカンを利用し、引き綱上端Ｄリングとつなげることで持ち手部分が円弧状になり、使用者が握りやすくなり、単独でも使用でき、その場合、ペットの首輪のマルカンにつなげ、体の横につけて歩かせる用途に使用し、引き綱下端ナスカンは、ペットの首輪のマルカンにつなげ、ペットをつないで歩く目的を達成することができ、その他、引き綱の中間のＤリングは持ち手部分の両端のナスカンとつなげると、もう一つ円弧ができるため、手提げ荷物を下げたり、ペットとの距離を調整したり、ペットの活動範囲を固定したりする目的に使用できることを特徴とするペット用リード構造。
【請求項２】
持ち手部分および引き綱部分の材質は、ナイロン、本革、布製品、金属素材および弾性材料とすることができることを特徴とする、請求項１に記載のペット用リードの構造。
【請求項３】
引き綱の上端にはナスカンを追加設置することができ、これによりもう1匹のペットをつないで歩くことができることを特徴とする、請求項１に記載のペット用リードの構造。
【請求項４】
引き綱は1つまたは複数個追加することで引き綱の長さを調整する装置または構造とすることができ、これによりペットとの距離やペットの活動範囲を固定できることを特徴とする、請求項１に記載のペット用リードの構造。
【請求項５】
引き綱の長さを調整する装置は引き綱の適切な部位に設置することができることを特徴とする、請求項１または請求項４に記載のペット用リードの構造。
【考案の詳細な説明】
【技術分野】
【０００１】
本考案は、一種のペット用リードであり、特に自由な調節が可能で、適宜応用できるペット用リードの構造の改良に関するものである。
【背景技術】
【０００２】
一般に市販されているペット用リードの持ち手部分および引き綱部分はいずれも一体成形されており（参考図１を参照）、別々に使用したり、変形および応用したりすることは不可能であった。また、引き綱を固定物および持ち手部分に通した（参考図８を参照）上で更に引き綱のナスカンをペットの首輪のマルカンにつながないと、ペットの活動範囲を固定できなかったし、引き綱部分はペットとの距離を調整する用途には使用できなかった。しかも使用者は一度に1匹のペットしかつないで歩くことができず、2匹以上のペットがいる場合は1度に2本のリードを使わなければならず、使用上もきわめて不便であった。
【考案の開示】
【０００３】
従来のペット用リードには欠点があったことを鑑み、考案者が多年にわたる不断の研究開発を経て、ついにこの持ち手部分と引き綱を分解できるリードを開発した。使用者が握る持ち手部分には上部両端にナスカンが設置されている。引き綱は上端部と中間にDリング、下端にナスカンが設置されており、この設計により、持ち手部分の両端のナスカンを引き綱上端のDリングにつなげることで、一つの円弧が作られて、使用者が握りやすいようになっている。持ち手部分を単独で使用し、ペットの首輪のマルカンにつなげて体の横につけて歩かせる用途に使用することもできる。引き綱下端のナスカンはペットの首輪のマルカンとつなげてペットつないで歩く目的を達成することができるほか、引き綱中間のDリングは持ち手部分の両端のナスカンとつなげることによりもう一つ円弧ができるため、手提げ荷物を下げたり、ペットとの距離を調整したり、ペットの活動範囲を固定したりする目的に使用することができる。
【０００４】
本考案の特徴を理解しやすくするため、以下に図を付し、本考案の実施例を示した。
【考案を実施するための最良の形態】
【０００５】
まず、図２に本考案のペット用リードの構造の持ち手部分の見取り図を示す。持ち手部分20は、使用者が握るもので、両端に持ち手ナスカン21および22を設置した。
【０００６】
図３にペット用リード構造の引き綱部分の見取り図を示す。引き綱30は、上部に上端Dリング31および中間部分に中間Dリング32を設置し、下端に引き綱ナスカン33を設置した。
【０００７】
図４には、本考案のペット用リード構造の第一実施例を示す。持ち手部分20の両端の持ち手ナスカン21および22を引き綱30の上端Dリング31につなげ、更に引き綱30の引き綱ナスカン33をペットDの首輪のマルカンにつなげることで一般のペット引き綱としての機能を果たすことができる。
【０００８】
図５に、本考案のペット用リードの構造の第二実施例を示す。引き綱30をもう1本追加し、もう1匹のペットを同時につなぐことができる。
【０００９】
また、図６に本考案のペット用リードの構造の第三実施例を示す。持ち手部分20の両端の持ち手ナスカン21および22を同時に引き綱30上端Dリング31および中間Dリング32につなげることで、ペットDとの距離を短縮させる調整が可能になる。または手提げ荷物Bを引き綱30に通し、更に上端Dリング31および中間Dリング32の間に位置させることで、手提げ荷物Bを下げる機能をもたせることができる。
【００１０】
図７には本考案のペット用リードの構造の第四実施例を示す。持ち手部分20の両端の持ち手ナスカン21および22を同時にペットDの首輪のマルカンにつなげることで、飼い主がペットDを体の横につけて歩かせる目的を達成できる。
【００１１】
図９には本考案のペット用リードの構造の第五実施例を示す。持ち手部分20の持ち手ナスカン21を引き綱30の上端Dリング31につなげ、持ち手部分20を固定物に通し、更に持ち手部分20の持ち手ナスカン22を引き綱30の上端Dリング31につなげると、ペットの活動を一定のポイントに固定する目的を達成することができる。
【００１２】
図１０には、本考案のペット用リードの構造の第六実施例を示す。持ち手部分20の持ち手ナスカン21を引き綱30の上端Dリング31につなげ、持ち手部分20および引き綱30を固定物の周りに回す。更に持ち手部分20の持ち手ナスカン22を引き綱30の中間Dリング32につなげると、ペットDを一定のポイントに固定し、同時に固定物のサイズによってペットDの活動範囲を調整したり、短縮したりする目的を達成することができる。
【００１３】
図１１に本考案のペット用リードの構造の第七実施例を示す。引き綱30の上端縫合箇所には引き綱ナスカン33を追加することができ、引き綱30の両端に引き綱ナスカン33を設置することができる。この設計により、1本の引き綱30を利用して同時に2匹のペットをつなぐことができる。
【００１４】
図１２には本考案のペット用リードの構造の第八実施例を示す。持ち手部分20の持ち手ナスカン21を引き綱30の上端 Dリング31につなげ、持ち手部分20および引き綱30を使用者の体の回りに回す。さらに持ち手部分20の持ち手ナスカン22を引き綱30の中間Ｄリング32につなげることで、使用者が適宜ペットＤを制御する目的を達成することができる。
【００１５】
以上の描写は、比較的良好な実施例により本考案を詳細に説明したものであるが、引き綱の材質の変化および一つまたは複数個を追加使用することで引き綱の長さを調整する装置または構造やペットとの距離を調整するためなどの改変のように、これら実施例に対して行なわれるいかなる修正および改変についても、全て本考案の精神および範囲に含まれるものとする。
【００１６】
以上の詳細説明は、当業者に対して、本考案が上に掲げた目的を確実に達成できることを明らかにするものであり、実際に特許法の規定にも適合していることから、ここに法に則り実用新案登録の申請を提出する。
【図面の簡単な説明】
【００１７】
【図１】本考案のペット用リードの構造の先行技術の見取り図を示す。
【図２】本考案のペット用リードの構造の持ち手部分の見取り図を示す。
【図３】本考案のペット用リードの構造の引き綱部分の見取り図を示す。
【図４】本考案のペット用リードの構造の第一実施例を示す。
【図５】本考案のペット用リードの構造の第二実施例を示す。
【図６】本考案のペット用リードの構造の第三実施例を示す。
【図７】本考案のペット用リードの構造の第四実施例を示す。
【図８】本考案のペット用リードの構造の先行技術の見取り図を示す。
【図９】本考案のペット用リードの構造の第五実施例を示す。
【図１０】本考案のペット用リードの構造の第六実施例を示す。
【図１１】本考案のペット用リードの構造の第七実施例を示す。
【図１２】本考案のペット用リードの構造の第八実施例を示す。
【符号の説明】
【００１８】
（先行技術）
10  持ち手
11  引き綱
12  ナスカン
（本考案）
B  手提げ荷物
D  ペット
20  持ち手部分
21  持ち手ナスカン
22  持ち手ナスカン
30  引き綱
31  上端Dリング
32  中間Dリング
33  引き綱ナスカン
【図１】
0003134494.tif 000003
【図２】
0003134494.tif 000004
【図３】
0003134494.tif 000005
【図４】
0003134494.tif 000006
【図５】
0003134494.tif 000007
【図６】
0003134494.tif 000008
【図７】
0003134494.tif 000009
【図８】
0003134494.tif 000010
【図９】
0003134494.tif 000011
【図１０】
0003134494.tif 000012
【図１１】
0003134494.tif 000013
【図１２】
0003134494.tif 000014